(57)【要約】【課題】音声認識における認識誤りの修正作業に熟練していない場合であっても、修正作業を容易に行うことができる音声認識誤り修正装置およびそのプログラムを提供する。【解決手段】音声認識誤り修正装置１は、タッチスクリーンＴｓを備える表示端末ＤｔとポインティングデバイスＰｄとを用いて、予め行われた音声認識によって得られた音声認識文字列Ｓｃにおける認識誤りを修正するものであって、表示端末Ｄｔ上に音声認識文字列を表示する表示手段１０と、ポインティングデバイスＰｄによってタッチスクリーンＴｓに入力されたジェスチャーの中から、予め定められた校正記号のジェスチャーを認識するジェスチャー認識手段３０と、校正記号のジェスチャーに予め関連付けられた修正指示に従って、表示端末Ｄｔにおけるジェスチャーが入力された位置で特定される音声認識文字列Ｓｃを修正する文字列編集手段１１０と、を備えている。【選択図】図３
2014149612.tif 000002
【特許請求の範囲】
【請求項１】
タッチスクリーンを備える表示端末とポインティングデバイスとを用いて、予め行われた音声認識によって得られた音声認識文字列における認識誤りを修正する音声認識誤り修正装置であって、
前記表示端末上に前記音声認識文字列を表示する表示手段と、
前記ポインティングデバイスによって前記タッチスクリーンに入力された誤認識の位置および種類を示すジェスチャーの中から、予め定められた校正記号のジェスチャーを認識するジェスチャー認識手段と、
前記校正記号のジェスチャーに予め関連付けられた修正指示に従って、前記表示端末における前記ジェスチャーが入力された位置で特定される前記音声認識文字列を修正する文字列編集手段と、
を備えることを特徴とする音声認識誤り修正装置。
【請求項２】
前記ポインティングデバイスによって前記タッチスクリーンに入力された文字列を認識する手書き文字認識手段をさらに備え、
前記ジェスチャー認識手段は、予め定められた文字列削除、文字列挿入および文字列置換の校正記号のジェスチャーをそれぞれ認識し、
前記文字列編集手段は、
前記文字列削除の校正記号のジェスチャーに予め関連付けられた修正指示に従って、前記表示端末における前記ジェスチャーが入力された位置で特定される前記音声認識文字列を削除する文字列削除手段と、
前記文字列挿入の校正記号のジェスチャーに予め関連付けられた修正指示に従って、前記表示端末における前記ジェスチャーが入力された位置に、前記手書き文字認識手段によって認識された文字列を挿入する文字列挿入手段と、
前記文字列置換の校正記号のジェスチャーに予め関連付けられた修正指示に従って、前記表示端末における前記ジェスチャーが入力された位置で特定される前記音声認識文字列を、前記手書き文字認識手段によって認識された文字列に置換する文字列置換手段と、
を備えることを特徴とする請求項１に記載の音声認識誤り修正装置。
【請求項３】
修正者の音声から文字列を認識する音声認識手段をさらに備え、
前記ジェスチャー認識手段は、予め定められた文字列削除、文字列挿入および文字列置換の校正記号のジェスチャーをそれぞれ認識し、
前記文字列編集手段は、
前記文字列削除の校正記号のジェスチャーに予め関連付けられた修正指示に従って、前記表示端末における前記ジェスチャーが入力された位置で特定される前記音声認識文字列を削除する文字列削除手段と、
前記文字列挿入の校正記号のジェスチャーに予め関連付けられた修正指示に従って、前記表示端末における前記ジェスチャーが入力された位置に、前記音声認識手段によって認識された文字列を挿入する文字列挿入手段と、
前記文字列置換の校正記号のジェスチャーに予め関連付けられた修正指示に従って、前記表示端末における前記ジェスチャーが入力された位置で特定される前記音声認識文字列を、前記音声認識手段によって認識された文字列に置換する文字列置換手段と、
を備えることを特徴とする請求項１に記載の音声認識誤り修正装置。
【請求項４】
前記ポインティングデバイスによって前記タッチスクリーンに入力された文字列を認識する手書き文字認識手段と、
修正者の音声から文字列を認識する音声認識手段と、をさらに備え、
前記ジェスチャー認識手段は、予め定められた文字列削除、文字列挿入および文字列置換の校正記号のジェスチャーをそれぞれ認識し、
前記文字列編集手段は、
前記文字列削除の校正記号のジェスチャーに予め関連付けられた修正指示に従って、前記表示端末における前記ジェスチャーが入力された位置で特定される前記音声認識文字列を削除する文字列削除手段と、
前記文字列挿入の校正記号のジェスチャーに予め関連付けられた修正指示に従って、前記表示端末における前記ジェスチャーが入力された位置に、前記手書き文字認識手段または前記音声認識手段によって認識された文字列を挿入する文字列挿入手段と、
前記文字列置換の校正記号のジェスチャーに予め関連付けられた修正指示に従って、前記表示端末における前記ジェスチャーが入力された位置で特定される前記音声認識文字列を、前記手書き文字認識手段または前記音声認識手段によって認識された文字列に置換する文字列置換手段と、
を備えることを特徴とする請求項１に記載の音声認識誤り修正装置。
【請求項５】
前記ポインティングデバイスによって前記タッチスクリーンに入力された文字列を認識する手書き文字認識手段と、
前記ジェスチャー認識手段によって文字列置換の校正記号のジェスチャーが認識された際に、前記表示端末における予め定められた位置に、前記表示端末における前記ジェスチャーが入力された位置で特定される前記音声認識文字列に対応する、予め定められた複数の置換文字列候補を表示する置換文字列候補出力手段と、
前記ポインティングデバイスによる選択に従って、前記置換文字列候補出力手段によって表示された複数の置換文字列候補の中から１つの置換文字列を決定する置換文字列決定手段と、をさらに備え、
前記ジェスチャー認識手段は、予め定められた文字列削除、文字列挿入および文字列置換の校正記号のジェスチャーをそれぞれ認識し、
前記文字列編集手段は、
前記文字列削除の校正記号のジェスチャーに予め関連付けられた修正指示に従って、前記表示端末における前記ジェスチャーが入力された位置で特定される前記音声認識文字列を削除する文字列削除手段と、
前記文字列挿入の校正記号のジェスチャーに予め関連付けられた修正指示に従って、前記表示端末における前記ジェスチャーが入力された位置に、前記手書き文字認識手段によって認識された文字列を挿入する文字列挿入手段と、
前記文字列置換の校正記号のジェスチャーに予め関連付けられた修正指示に従って、前記表示端末における前記ジェスチャーが入力された位置で特定される前記音声認識文字列を、前記置換文字列決定手段によって決定された置換文字列に置換する文字列置換手段と、
を備えることを特徴とする請求項１に記載の音声認識誤り修正装置。
【請求項６】
前記ポインティングデバイスによって前記タッチスクリーンに入力された文字列を認識する手書き文字認識手段と、
修正者の音声から文字列を認識する音声認識手段と、
前記ジェスチャー認識手段によって文字列置換の校正記号のジェスチャーが認識された際に、前記表示端末における予め定められた位置に、前記表示端末における前記ジェスチャーが入力された位置で特定される前記音声認識文字列に対応する、予め定められた複数の置換文字列候補を表示する置換文字列候補出力手段と、
前記ポインティングデバイスによる選択に従って、前記置換文字列候補出力手段によって表示された複数の置換文字列候補の中から１つの置換文字列を決定する置換文字列決定手段と、をさらに備え、
前記ジェスチャー認識手段は、予め定められた文字列削除、文字列挿入および文字列置換の校正記号のジェスチャーをそれぞれ認識するとともに、前記文字列挿入および前記文字列置換の校正記号に含まれる引出線のジェスチャーが引き出された方向、あるいは前記引出線の終端位置に従って、前記手書き文字認識手段によって認識された文字列、前記音声認識手段によって認識された文字列のいずれを挿入するか、および、前記手書き文字認識手段によって認識された文字列、前記音声認識手段によって認識された文字列、前記置換文字列決定手段によって決定された置換文字列のいずれを置換するか、をそれぞれ選択し、
前記文字列編集手段は、
前記文字列削除の校正記号のジェスチャーに予め関連付けられた修正指示に従って、前記表示端末における前記ジェスチャーが入力された位置で特定される前記音声認識文字列を削除する文字列削除手段と、
前記文字列挿入の校正記号のジェスチャーに予め関連付けられた修正指示に従って、前記表示端末における前記ジェスチャーが入力された位置に、前記手書き文字認識手段または前記音声認識手段によって認識された文字列を挿入する文字列挿入手段と、
前記文字列置換の校正記号のジェスチャーに予め関連付けられた修正指示に従って、前記表示端末における前記ジェスチャーが入力された位置で特定される前記音声認識文字列を、前記手書き文字認識手段または前記音声認識手段によって認識された文字列、あるいは、前記置換文字列決定手段によって決定された置換文字列に置換する文字列置換手段と、
を備えることを特徴とする請求項１に記載の音声認識誤り修正装置。
【請求項７】
前記ポインティングデバイスによって前記タッチスクリーンに前記ジェスチャーが入力されたされた際に、前記表示端末における前記ジェスチャーが入力された位置に、前記ジェスチャーの軌跡をフィードバックして表示するフィードバック出力手段をさらに備えることを特徴とする請求項１から請求項６のいずれか一項に記載の音声認識誤り修正装置。
【請求項８】
前記ジェスチャー認識手段によって前記文字列挿入または前記文字列置換の校正記号のジェスチャーが認識された際に、前記表示端末における予め定められた位置に、前記ポインティングデバイスによって前記文字列を入力するための文字列入力用フレームを表示するフレーム出力手段をさらに備えることを特徴とする請求項２、請求項４、請求項５、請求項６のいずれか一項に記載の音声認識誤り修正装置。
【請求項９】
コンピュータを、請求項１から請求項８のいずれか一項に記載の音声認識誤り修正装置として機能させるための音声認識誤り修正プログラム。
【発明の詳細な説明】
【技術分野】
【０００１】
本発明は、音声認識の認識誤りを修正する音声認識誤り修正装置およびそのプログラムに関する。
【背景技術】
【０００２】
音声認識技術は、生放送番組の字幕制作などに利用されている。音声認識は、統計的手法などを用いて人間の音声から文字列を認識するため、その認識結果には認識誤りが含まれていることがある。従来の字幕制作現場では、このような音声認識の認識誤りを修正するオペレータを用意し、認識誤りを修正した文字列（以下、修正文字列という）を字幕として放送している。
【０００３】
音声認識における認識誤りを修正する方法としては、例えば特許文献１に示すように、認識誤りをポイント（選択）する者と、ポイントされた単語を修正する者の２人のペアが数組で修正する方法が用いられている。また他にも、例えば特許文献２に示すように、ポイントする者と修正する者とに役割を分けずに、認識結果の文章を１人から数人で分担し、各自が担当した文章の誤りを修正していく方法も用いられている。これらの方法では、タッチパネルを利用して画面上に表示される認識結果の誤り部分をタッチして特定した後、その誤りを削除、挿入、置換するなどの指示をキーボード操作または画面上のボタンのタッチにより行っている。
【０００４】
ここで、音声認識の認識誤りの修正では、認識結果の誤り部分を選択してから指示を出すのか、あるいは指示を出してから誤り部分を選択するのかなど、操作に一定の手順が設けられるため、このような操作に慣れるための練習が必要となる。また、前記した特許文献１および特許文献２で提案された方法では、画面のタッチとキーボード操作を頻繁に行き来することになるため、このような動きに熟練しなければ迅速な修正作業が困難となる。そこで、特許文献３には、前記したような画面タッチとキーボード操作の往復を練習するための文字列修正訓練装置が提案されている。
【０００５】
さらに、音声認識の認識誤りの修正では、置換誤りや脱落誤りを修正する際の文字入力に標準的なキーボードを利用する場合が多い。従って、修正者には、前記したような画面タッチとキーボード操作の往復に慣れるだけではなく、キーボードによって日本語を迅速に入力できる能力が必要となる。従来は、このようなキーボード操作の手間を軽減するために、画面上に同音異義語の修正候補を提示したり、あるいは認識対象に関連する原稿を提示するパレットを用意し、認識誤りの修正にパレット上の文字列を利用するなどの工夫が行われているが、この方法では全ての認識誤りをカバーすることができない。そこで、特許文献４では、リスピーク方式の字幕制作において、誤り部分をリスピーカーに再度発話してもらうことで修正を行う文字データ修正装置が提案されている。
【先行技術文献】
【特許文献】
【０００６】
【特許文献１】特開２００１−６０１９２号公報
【特許文献２】特許３９８６０１５号公報
【特許文献３】特開２００４−２４０２３４号公報
【特許文献４】特許３９８６００９号公報
【発明の概要】
【発明が解決しようとする課題】
【０００７】
しかしながら、音声認識の認識誤りの修正では、前記した特許文献１〜４で提案された技術を利用してもなお、修正者には熟練した技術が必要であった。特に特許文献４で提案された文字データ修正装置では、修正者は、認識結果を適切に言い直して得られた文字列が修正対象文字列の適切な位置に挿入されるように編集しなければならないが、リスピーカーと連携してこのような作業を行うためには、認識誤りの修正作業に熟練している必要がある。
【０００８】
また、認識誤りの修正者はニュースなどの番組コンテンツに精通しているとは限らないため、認識誤りの修正時には、番組コンテンツに精通した編集責任者が修正者による認識誤りの修正結果を確認しているのが現状である。しかし、今後、地方局発の番組などに音声認識を利用した字幕制作が拡大された場合、各番組の予算の制限などによって、前記したような数名の熟練した修正者と編集責任者とが必要となる現状の字幕制作システムを維持することは技術の習得や運用コストの面からも困難となる。
【０００９】
本発明はかかる点に鑑みてなされたものであって、音声認識における認識誤りの修正作業に熟練していない場合であっても、修正作業を容易に行うことができる音声認識誤り修正装置およびそのプログラムを提供することを課題とする。
【課題を解決するための手段】
【００１０】
前記課題を解決するために請求項１に係る音声認識誤り修正装置は、タッチスクリーンを備える表示端末とポインティングデバイスとを用いて、予め行われた音声認識によって得られた音声認識文字列における認識誤りを修正する音声認識誤り修正装置であって、表示手段と、ジェスチャー認識手段と、文字列編集手段と、を備える構成とした。
【００１１】
このような構成を備える音声認識誤り修正装置は、表示手段によって、表示端末を介して音声認識文字列を表示する。また、音声認識誤り修正装置は、ジェスチャー認識手段によって、ポインティングデバイスを用いてタッチスクリーンに入力された誤認識の位置および種類を示すジェスチャーの中から、予め定められた校正記号のジェスチャーを認識する。すなわち、ジェスチャー認識手段は、修正者がポインティングデバイスを用いて入力したジェスチャーが、例えば予め定めた文字列削除などの校正記号を示すジェスチャーと一致するか否かを判定する。そして、音声認識誤り修正装置は、文字列編集手段によって、校正記号のジェスチャーに予め関連付けられた修正指示に従って、表示端末におけるジェスチャーが入力された位置で特定される音声認識文字列を修正する。
【００１２】
また、請求項２に係る音声認識誤り修正装置は、請求項１に係る音声認識誤り修正装置において、手書き文字認識手段をさらに備え、ジェスチャー認識手段が、予め定められた文字列削除、文字列挿入および文字列置換の校正記号のジェスチャーをそれぞれ認識し、文字列編集手段が、文字列削除手段と、文字列挿入手段と、文字列置換手段と、を備える構成とした。
【００１３】
このような構成を備える音声認識誤り修正装置は、手書き文字認識手段によって、ポインティングデバイスでタッチスクリーンに入力された文字列を認識する。また、音声認識誤り修正装置は、文字列削除手段によって、文字列削除の校正記号のジェスチャーに予め関連付けられた修正指示に従って、表示端末におけるジェスチャーが入力された位置で特定される音声認識文字列を削除する。また、音声認識誤り修正装置は、文字列挿入手段によって、文字列挿入の校正記号のジェスチャーに予め関連付けられた修正指示に従って、表示端末におけるジェスチャーが入力された位置に、手書き文字認識手段によって認識された文字列を挿入する。そして、音声認識誤り修正装置は、文字列置換手段によって、文字列置換の校正記号のジェスチャーに予め関連付けられた修正指示に従って、表示端末におけるジェスチャーが入力された位置で特定される音声認識文字列を、手書き文字認識手段によって認識された文字列に置換する。このように、音声認識誤り修正装置は、ジェスチャー認識手段によって、予め定められた文字列削除、文字列挿入および文字列置換の校正記号のジェスチャーを認識することで、音声認識文字列の誤認識の位置および種類を特定することができる。また、音声認識誤り修正装置は、操作が容易な手書き文字入力を利用して、音声認識文字列の誤認識部分に対して挿入または置換される文字列を入力することができる。
【００１４】
また、請求項３に係る音声認識誤り修正装置は、請求項１に係る音声認識誤り修正装置において、音声認識手段をさらに備え、ジェスチャー認識手段が、予め定められた文字列削除、文字列挿入および文字列置換の校正記号のジェスチャーをそれぞれ認識し、文字列編集手段が、文字列削除手段と、文字列挿入手段と、文字列置換手段と、を備える構成とした。
【００１５】
このような構成を備える音声認識誤り修正装置は、音声認識手段によって、修正者の音声から文字列を認識する。また、音声認識誤り修正装置は、文字列削除手段によって、文字列削除の校正記号のジェスチャーに予め関連付けられた修正指示に従って、表示端末におけるジェスチャーが入力された位置で特定される音声認識文字列を削除する。また、音声認識誤り修正装置は、文字列挿入手段によって、文字列挿入の校正記号のジェスチャーに予め関連付けられた修正指示に従って、表示端末におけるジェスチャーが入力された位置に、音声認識手段によって認識された文字列を挿入する。そして、音声認識誤り修正装置は、文字列置換手段によって、文字列置換の校正記号のジェスチャーに予め関連付けられた修正指示に従って、表示端末におけるジェスチャーが入力された位置で特定される音声認識文字列を、音声認識手段によって認識された文字列に置換する。このように、音声認識誤り修正装置は、ジェスチャー認識手段によって、予め定められた文字列削除、文字列挿入および文字列置換の校正記号のジェスチャーを認識することで、音声認識文字列の誤認識の位置および種類を特定することができる。また、音声認識誤り修正装置は、操作が容易な音声入力を利用して、音声認識文字列の誤認識部分に対して挿入または置換される文字列を入力することができる。
【００１６】
また、請求項４に係る音声認識誤り修正装置は、請求項１に係る音声認識誤り修正装置において、手書き文字認識手段と、音声認識手段と、をさらに備え、ジェスチャー認識手段が、予め定められた文字列削除、文字列挿入および文字列置換の校正記号のジェスチャーをそれぞれ認識し、文字列編集手段が、文字列削除手段と、文字列挿入手段と、文字列置換手段と、を備える構成とした。
【００１７】
このような構成を備える音声認識誤り修正装置は、手書き文字認識手段によって、ポインティングデバイスでタッチスクリーンに入力された文字列を認識する。また、音声認識誤り修正装置は、音声認識手段によって、修正者の音声から文字列を認識する。また、音声認識誤り修正装置は、文字列削除手段によって、文字列削除の校正記号のジェスチャーに予め関連付けられた修正指示に従って、表示端末におけるジェスチャーが入力された位置で特定される音声認識文字列を削除する。また、音声認識誤り修正装置は、文字列挿入手段によって、文字列挿入の校正記号のジェスチャーに予め関連付けられた修正指示に従って、表示端末におけるジェスチャーが入力された位置に、手書き文字認識手段または音声認識手段によって認識された文字列を挿入する。そして、音声認識誤り修正装置は、文字列置換手段によって、文字列置換の校正記号のジェスチャーに予め関連付けられた修正指示に従って、表示端末におけるジェスチャーが入力された位置で特定される音声認識文字列を、手書き文字認識手段または音声認識手段によって認識された文字列に置換する。このように、音声認識誤り修正装置は、ジェスチャー認識手段によって、予め定められた文字列削除、文字列挿入および文字列置換の校正記号のジェスチャーを認識することで、音声認識文字列の誤認識の位置および種類を特定することができる。また、音声認識誤り修正装置は、操作が容易な手書き文字入力または音声入力を利用して、音声認識文字列の誤認識部分に対して挿入または置換される文字列を入力することができる。
【００１８】
また、請求項５に係る音声認識誤り修正装置は、請求項１に係る音声認識誤り修正装置において、手書き文字認識手段と、置換文字列候補出力手段と、置換文字列決定手段と、をさらに備え、ジェスチャー認識手段が、予め定められた文字列削除、文字列挿入および文字列置換の校正記号のジェスチャーをそれぞれ認識し、文字列編集手段が、文字列削除手段と、文字列挿入手段と、文字列置換手段と、を備える構成とした。
【００１９】
このような構成を備える音声認識誤り修正装置は、手書き文字認識手段によって、ポインティングデバイスでタッチスクリーンに入力された文字列を認識する。また、音声認識誤り修正装置は、置換文字列候補出力手段によって、ジェスチャー認識手段において文字列置換の校正記号のジェスチャーが認識された際に、表示端末における予め定められた位置に、表示端末におけるジェスチャーが入力された位置で特定される音声認識文字列に対応する、予め定められた複数の置換文字列候補を表示する。また、音声認識誤り修正装置は、置換文字列決定手段によって、ポインティングデバイスによる選択に従って、置換文字列候補出力手段によって表示された複数の置換文字列候補の中から１つの置換文字列を決定する。
【００２０】
また、音声認識誤り修正装置は、文字列削除手段によって、文字列削除の校正記号のジェスチャーに予め関連付けられた修正指示に従って、表示端末におけるジェスチャーが入力された位置で特定される音声認識文字列を削除する。また、音声認識誤り修正装置は、文字列挿入手段によって、文字列挿入の校正記号のジェスチャーに予め関連付けられた修正指示に従って、表示端末におけるジェスチャーが入力された位置に、手書き文字認識手段によって認識された文字列を挿入する。そして、音声認識誤り修正装置は、文字列置換手段によって、文字列置換の校正記号のジェスチャーに予め関連付けられた修正指示に従って、表示端末におけるジェスチャーが入力された位置で特定される音声認識文字列を、置換文字列決定手段によって決定された置換文字列に置換する。このように、音声認識誤り修正装置は、ジェスチャー認識手段によって、予め定められた文字列削除、文字列挿入および文字列置換の校正記号のジェスチャーを認識することで、音声認識文字列の誤認識の位置および種類を特定することができる。また、音声認識誤り修正装置は、置換文字列候補出力手段によって、音声認識文字列の誤認識部分と置換可能な置換文字列候補を提示し、置換文字列決定手段によって、修正者のポインティングデバイスによる選択に従って、置換文字列を決定することができる。
【００２１】
また、請求項６に係る音声認識誤り修正装置は、請求項１に係る音声認識誤り修正装置において、手書き文字認識手段と、音声認識手段と、置換文字列候補出力手段と、置換文字列決定手段と、をさらに備え、ジェスチャー認識手段が、予め定められた文字列削除、文字列挿入および文字列置換の校正記号のジェスチャーをそれぞれ認識するとともに、文字列挿入および文字列置換の校正記号に含まれる引出線のジェスチャーが引き出された方向、あるいは引出線の終端位置に従って、手書き文字認識手段によって認識された文字列、音声認識手段によって認識された文字列のいずれを挿入するか、および、手書き文字認識手段によって認識された文字列、音声認識手段によって認識された文字列、置換文字列決定手段によって決定された置換文字列のいずれを置換するか、をそれぞれ選択し、文字列編集手段が、文字列削除手段と、文字列挿入手段と、文字列置換手段と、を備える構成とした。
【００２２】
このような構成を備える音声認識誤り修正装置は、手書き文字認識手段によって、ポインティングデバイスでタッチスクリーンに入力された文字列を認識する。また、音声認識誤り修正装置は、音声認識手段によって、修正者の音声から文字列を認識する。また、音声認識誤り修正装置は、置換文字列候補出力手段によって、ジェスチャー認識手段において文字列置換の校正記号のジェスチャーが認識された際に、表示端末における予め定められた位置に、表示端末におけるジェスチャーが入力された位置で特定される音声認識文字列に対応する、予め定められた複数の置換文字列候補を表示する。また、音声認識誤り修正装置は、置換文字列決定手段によって、ポインティングデバイスによる選択に従って、置換文字列候補出力手段によって表示された複数の置換文字列候補の中から１つの置換文字列を決定する。
【００２３】
また、音声認識誤り修正装置は、文字列削除手段によって、文字列削除の校正記号のジェスチャーに予め関連付けられた修正指示に従って、表示端末におけるジェスチャーが入力された位置で特定される音声認識文字列を削除する。また、音声認識誤り修正装置は、文字列挿入手段によって、文字列挿入の校正記号のジェスチャーに予め関連付けられた修正指示に従って、表示端末におけるジェスチャーが入力された位置に、手書き文字認識手段または音声認識手段によって認識された文字列を挿入する。そして、音声認識誤り修正装置は、文字列置換手段によって、文字列置換の校正記号のジェスチャーに予め関連付けられた修正指示に従って、表示端末におけるジェスチャーが入力された位置で特定される音声認識文字列を、手書き文字認識手段または音声認識手段によって認識された文字列、あるいは、置換文字列決定手段によって決定された置換文字列に置換する。このように、音声認識誤り修正装置は、ジェスチャー認識手段によって、予め定められた文字列削除、文字列挿入および文字列置換の校正記号のジェスチャーを認識することで、音声認識文字列の誤認識の位置および種類を特定することができる。また、音声認識誤り修正装置は、ジェスチャー認識手段によって、引出線のジェスチャーが引き出された方向、あるいは引出線の終端位置に従って、手書き文字認識、音声認識、置換文字列候補の選択のいずれの方法を用いて文字列を挿入または置換するのかを選択することができる。
【００２４】
また、請求項７に係る音声認識誤り修正装置は、請求項１から請求項６のいずれか一項に係る音声認識誤り修正装置において、フィードバック出力手段をさらに備える構成とした。
【００２５】
このような構成を備える音声認識誤り修正装置は、フィードバック出力手段によって、ポインティングデバイスによってタッチスクリーンにジェスチャーが入力された際に、表示端末におけるジェスチャーが入力された位置に、表示端末にポインティングデバイスが接触したことを示すジェスチャーの軌跡をフィードバックして表示する。これにより、音声認識誤り修正装置は、フィードバック出力手段によって、ジェスチャーが入力されている最中にどのようなジェスチャーが入力されているのかを修正者に対して提示することができる。
【００２６】
また、請求項８に係る音声認識誤り修正装置は、請求項２、請求項４、請求項５、請求項６のいずれか一項に係る音声認識誤り修正装置において、フレーム出力手段をさらに備える構成とした。
【００２７】
このような構成を備える音声認識誤り修正装置は、フレーム出力手段によって、ジェスチャー認識手段において文字列挿入または文字列置換の校正記号のジェスチャーが認識された際に、表示端末における予め定められた位置に、ポインティングデバイスによって文字列を入力するための文字列入力用フレームを表示する。これにより、音声認識誤り修正装置は、フレーム出力手段によって表示された文字列入力用フレーム内に手書き文字を書き入れることで、音声認識文字列の誤認識部分に対する文字列の挿入または置換をスムーズに行うことができる。
【００２８】
また、請求項９に係る音声認識誤り修正プログラムは、コンピュータを、請求項１から請求項８のいずれか一項に係る音声認識誤り修正装置として機能させることとした。
【発明の効果】
【００２９】
請求項１および請求項９に係る発明によれば、タッチスクリーンを介して入力されたジェスチャーによって音声認識文字列の誤認識の位置および種類を特定して修正を行うため、修正者が音声認識における認識誤りの修正作業に熟練していない場合であっても、修正作業を容易に行うことができる。
【００３０】
請求項２に係る発明によれば、手書き文字入力を利用して挿入または置換する文字列の入力を行うことで、キーボードやコンピュータの操作に熟練していない修正者であっても、紙面で行われる一般的な校正作業と同様に認識誤りの修正作業を容易に行うことができる。
【００３１】
請求項３に係る発明によれば、音声入力を利用して挿入または置換する文字列の入力を行うことで、キーボードやコンピュータの操作に熟練していない修正者であっても、認識誤りの修正作業を容易に行うことができる。
【００３２】
請求項４に係る発明によれば、手書き文字入力または音声入力を利用して挿入または置換する文字列の入力を行うことで、キーボードやコンピュータの操作に熟練していない修正者であっても、認識誤りの修正作業を容易に行うことができる。また、請求項４に係る発明によれば、例えば言いよどみ、同音異義語などの認識誤りの種類に応じて、文字列の適切な入力手段を選択することができるため、認識誤りの修正作業を効率よく行うことができる。
【００３３】
請求項５に係る発明によれば、音声認識文字列の誤認識部分と置換可能な置換文字列候補を修正者に提示して選択できるように構成されているため、キーボードやコンピュータの操作に熟練していない修正者であっても、認識誤りの修正作業を容易に行うことができる。また、請求項５に係る発明によれば、例えば言いよどみ、同音異義語などの認識誤りの種類に応じて、文字列の適切な入力手段を選択することができるため、認識誤りの修正作業を効率よく行うことができる。
【００３４】
請求項６に係る発明によれば、手書き文字認識、音声認識、置換文字列候補の選択のいずれの方法を用いて文字列を挿入または置換するのかを選択できるように構成されているため、キーボードやコンピュータの操作に熟練していない修正者であっても、認識誤りの修正作業を容易に行うことができる。また、請求項６に係る発明によれば、例えば言いよどみ、同音異義語などの認識誤りの種類に応じて、文字列の適切な入力手段を選択することができるため、認識誤りの修正作業を効率よく行うことができる。
【００３５】
請求項７に係る発明によれば、入力状態を確認しながらジェスチャーの入力を行うことができるため、認識誤りの修正作業を容易に行うことができる。
【００３６】
請求項８に係る発明によれば、表示端末上に文字列入力用フレームを提示することで手書き文字を入力しやすくなるため、認識誤りの修正作業を容易に行うことができる。
【図面の簡単な説明】
【００３７】
【図１】本発明の実施形態に係る音声認識誤り修正装置が実装される表示端末と、ポインティングデバイスの全体構成を示す斜視図である。
【図２】本発明の実施形態に係る音声認識誤り修正装置が実装される表示端末に音声認識文字列を表示した例を示す概略図である。
【図３】本発明の第１実施形態に係る音声認識誤り修正装置の全体構成を示すブロック図である。
【図４】本発明の第１実施形態に係る音声認識誤り修正装置によって、文字列削除を行う場合の表示端末の様子を示す概略図である。
【図５】本発明の第１実施形態に係る音声認識誤り修正装置によって、複数行にわたって文字列削除を行う場合の表示端末の様子を示す概略図である。
【図６】本発明の第１実施形態に係る音声認識誤り修正装置によって、文字列挿入を行う場合の表示端末の様子を示す概略図である。
【図７】本発明の第１実施形態に係る音声認識誤り修正装置によって、文字列置換を行う場合の表示端末の様子を示す概略図である。
【図８】本発明の第１実施形態に係る音声認識誤り修正装置によって、文字列挿入を行う際に用いられる文字列入力用フレームを示す概略図である。
【図９】本発明の第１実施形態に係る音声認識誤り修正装置によって、文字列置換を行う際に用いられる文字列入力用フレームを示す概略図である。
【図１０】本発明の第２実施形態に係る音声認識誤り修正装置の全体構成を示すブロック図である。
【図１１】本発明の第２実施形態に係る音声認識誤り修正装置によって、文字列置換を行う場合の表示端末の様子を示す概略図である。
【図１２】本発明の実施形態に係る音声認識誤り修正装置の変形例を示すブロック図である。
【図１３】本発明の実施形態に係る音声認識誤り修正装置の変形例によって、操作の取り消しを行う場合の表示端末の様子を示す概略図である。
【図１４】本発明の実施形態に係る音声認識誤り修正装置の変形例によって、操作のやり直しを行う場合の表示端末の様子を示す概略図である。
【図１５】本発明の実施形態に係る音声認識誤り修正装置の変形例によって、修正および確認済みの文字列を確定する場合の表示端末の様子を示す概略図である。
【発明を実施するための形態】
【００３８】
＜第１実施形態＞
［音声認識誤り修正装置の構成］
本発明の第１実施形態に係る音声認識誤り修正装置１の構成について、図１〜図９を参照しながら説明する。なお、以下の説明において、同一の構成については同一の名称および符号を付し、詳細説明を省略する。
【００３９】
音声認識誤り修正装置１は、予め行われた音声認識によって得られた文字列（以下、音声認識文字列という）の認識誤りを修正するものである。この音声認識誤り修正装置１は、音声認識文字列における誤りを含む文字列を迅速に修正するためのものであり、当該文字列の修正のために、削除、挿入、置換箇所を指示する必要がある場合に適用される。音声認識誤り修正装置１は、図１に示すように、音声認識文字列Ｓｃを表示する表示端末Ｄｔ内に実装され、図示を省略した修正者が表示端末ＤｔのタッチスクリーンＴｓに対して行った入力に応じて認識誤りを修正する。なお、図示の便宜上、音声認識誤り修正装置１が表示端末Ｄｔ内に実装されている様子は図１のみに示し、その他の図面では図示を省略することとする。
【００４０】
表示端末Ｄｔは、図１に示すように、音声認識文字列Ｓｃを表示するとともに、修正者からのジェスチャーなどの入力を受け付けるものである。表示端末Ｄｔは、タッチスクリーンＴｓとマイクＭｃを備えており、ポインティングデバイスＰｄを利用したジェスチャーおよび手書き文字や、修正者の音声を入力できるように構成されている。
【００４１】
表示端末Ｄｔは、例えばタブレット端末が挙げられるが、タッチスクリーンＴｓおよびマイクＭｃを備える情報処理端末であれば特に限定されない。また、タッチスクリーンＴｓの方式も特に限定されず、静電容量方式、電磁誘導方式、抵抗膜方式などのいずれの方式も利用することができる。また、ポインティングデバイスＰｄは、修正者がジェスチャーおよび手書き文字を入力するためのものである。ポインティングデバイスＰｄは、例えばスタイラスペンが挙げられる。
【００４２】
表示端末Ｄｔ上には、図示しない音声認識装置から逐次入力される音声認識結果を示す音声認識文字列Ｓｃが表示される。図２の例では、ニュース原稿を想定して「２９日夜、仙台空港の滑走路の近くの工事現場で、」という音声認識文字列Ｓｃが表示端末Ｄｔ上に表示されている。また、表示端末Ｄｔ上には、図２における「｜」で表示されたカーソルＣｓの位置以降に、図示しない音声認識装置によって新たに認識された音声認識文字列Ｓｃが逐次表示されていくことになる。
【００４３】
音声認識誤り修正装置１には、具体的には図３に示すように、外部の図示しない音声認識装置から音声認識結果が入力される。これを受けて、音声認識誤り修正装置１は、修正者によるポインティングデバイスＰｄなどを用いたジェスチャーの入力によって、誤認識の位置および種類を特定する。そして、音声認識誤り修正装置１は、誤認識の種類に応じて、音声認識文字列Ｓｃに対して文字列削除、文字列挿入、文字列置換を行い、修正後の文字列（以下、修正文字列という）を外部の図示しない字幕送出手段に対して出力する。
【００４４】
音声認識誤り修正装置１は、ここでは図３に示すように、表示手段１０と、ジェスチャー入力手段２０と、ジェスチャー認識手段３０と、ジェスチャー記憶手段４０と、手書き文字入力手段５０と、手書き文字認識手段６０と、音声入力手段７０と、音声認識手段８０と、フレーム出力手段９０と、フィードバック出力手段１００と、文字列編集手段１１０と、文字列記憶手段１２０と、編集履歴記憶手段１３０と、修正文字列出力手段１４０と、を備えている。以下、音声認識誤り修正装置１の各構成について説明する。
【００４５】
表示手段１０は、音声認識文字列Ｓｃを表示するものである。表示手段１０は、図３に示すように、文字列出力手段１１１から入力された音声認識文字列Ｓｃを表示端末Ｄｔ上に表示する（図２参照）。また、表示手段１０は、フレーム出力手段９０から入力された文字列入力用フレームと、フィードバック出力手段１００から入力されたジェスチャーおよび手書き文字の軌跡を、ジェスチャー入力および手書き文字入力のタイミングに合わせて表示端末Ｄｔ上に表示する（図８および図９参照）。
【００４６】
ジェスチャー入力手段２０は、修正者のジェスチャーが入力されるものである。ジェスチャー入力手段２０は、図３に示すように、タッチスクリーンＴｓを介して入力された修正者のジェスチャーを検出し、当該ジェスチャーに関する情報（以下、ジェスチャー情報という）をジェスチャー認識手段３０およびフィードバック出力手段１００に対して出力する。なお、前記したジェスチャー情報とは、具体的にはポインティングデバイスＰｄがタッチスクリーンＴｓに接触した際のベクトルの方向、ベクトルの方向ごとの順番およびジェスチャーの入力座標のことを示している。
【００４７】
ジェスチャー認識手段３０は、修正者のジェスチャーを認識するものである。ここで、本発明におけるジェスチャーとは、タッチスクリーンＴｓを介して入力されるポインティングデバイスＰｄの入力の軌跡のことであり、音声認識文字列Ｓｃにおける誤認識の位置および種類を示すものである（図４〜図７参照）。言い換えれば、本発明におけるジェスチャーは、表示端末Ｄｔに表示される音声認識文字列Ｓｃを見た修正者が、当該音声認識文字列Ｓｃに含まれる誤認識の位置および種類を音声認識誤り修正装置１側に伝達するためのものである。
【００４８】
ジェスチャー認識手段３０には、図３に示すように、ジェスチャー入力手段２０からジェスチャー情報が入力される。これを受けて、ジェスチャー認識手段３０は、ポインティングデバイスＰｄによってタッチスクリーンＴｓに入力されたジェスチャーの中から、予め定められた校正記号のジェスチャーを認識する。すなわち、ジェスチャー認識手段３０は、例えばパターンマッチングにより、修正者によって入力されたジェスチャーが、ジェスチャー記憶手段４０に予め記憶されている校正記号のジェスチャーと一致するか否かを判定する。そして、ジェスチャー認識手段３０は、両者が一致する場合、校正記号のジェスチャーに予め関連付けられた修正指示と、ジェスチャーの入力座標とを文字列編集手段１１０に対して出力する。
【００４９】
また、ジェスチャー認識手段３０は、修正者によって入力されたジェスチャーが、ジェスチャー記憶手段４０に予め記憶されている校正記号のジェスチャーと一致する場合、図３に示すように、ジェスチャー認識が確定した旨（以下、ジェスチャー確定情報という）をフレーム出力手段９０およびフィードバック出力手段１００に対して出力する。
【００５０】
ここで、前記した校正記号としては、例えば一般的な校正作業で用いられる文字列削除、文字列挿入、文字列置換などを挙げることができる。また、これらの校正記号のジェスチャーは、修正者が利用しやすいジェスチャーを定めることができる。例えば文字列削除の校正記号は、図４および図５の太い実線で示すように、削除対象となる文字列上の横線と、当該横線の一端側および他端側に形成された一対の縦線とからなる記号を用いることができる。なお、後記するように、図４は１行内の文字列を削除する場合の例であり、図５は２行にわたる文字列を削除する場合の例である。
【００５１】
また、文字列挿入の校正記号は、図６の太い実線で示すように、文字と文字との間に挿入される山型の線と、当該山の上端から延びる引出線とからなる記号を用いることができる。そして、文字列置換の校正記号は、図７の太い実線に示すように、置換対象となる文字列上の直線と、当該直線から延びる引出線とからなる記号を用いることができる。なお、文字列挿入および文字列置換の校正記号における引出線は、図６および図７に示すように、表示端末Ｄｔにおける任意の位置まで引き出せるように構成されている。
【００５２】
音声認識誤り修正装置１で文章を校正する際に用いられる校正記号は、一般的な紙面とペンと用いた校正作業においても修正者によって多少異なるため、本発明においても修正者が慣れ親しんだ校正記号に近いジェスチャーを用いることが望ましい。なお、図４〜図７における番号が付加された破線矢印は、修正者がポインティングデバイスＰｄによってタッチスクリーンＴｓ上をなぞる順番を示しており、表示端末Ｄｔ上には実際に表示されない。一方、図４〜図７における太い実線は、ジェスチャーの入力に応じてフィードバックされるジェスチャーの軌跡を示しており、表示端末Ｄｔにも実際に表示される。
【００５３】
ジェスチャー記憶手段４０は、予め定められた校正記号のジェスチャーを記憶するものである。ジェスチャー記憶手段４０は、ここでは文字列削除、文字列挿入、文字列置換の３種類の校正記号のジェスチャーに関する情報（以下、校正記号情報という）を記憶しており、図３に示すように、ジェスチャー認識手段３０の要求に応じてこれらを出力する。なお、前記した校正記号情報とは、ジェスチャー情報と同様に、具体的にはポインティングデバイスＰｄがタッチスクリーンＴｓに接触した際のベクトルの方向とベクトルの方向ごとの順番のことを示している。
【００５４】
ジェスチャー記憶手段４０は、例えば図４に示す文字列削除の校正記号情報として、「順番＝１、ベクトルの方向＝下」、「順番＝２、ベクトルの方向＝右」、「順番＝３、ベクトルの方向＝下」という情報を記憶している。また、ジェスチャー記憶手段４０は、例えば図５に示す２行にわたる文字列削除の校正記号情報として、「順番＝１、ベクトルの方向＝下」、「順番＝２、ベクトルの方向＝右」、「順番＝３、ベクトルの方向＝右」、「順番＝４、ベクトルの方向＝下」という情報を記憶している。
【００５５】
さらに、ジェスチャー記憶手段４０は、例えば図６に示す文字列挿入の校正記号情報として、「順番＝１、ベクトルの方向＝右斜め上」、「順番＝２、ベクトルの方向＝右斜め下」、「順番＝３、ベクトルの方向＝左斜め上」という情報を記憶している。そして、ジェスチャー記憶手段４０は、図７に示す文字列置換の校正記号情報として、「順番＝１、ベクトルの方向＝右」、「順番＝２、ベクトルの方向＝右斜め上」という情報を記憶している。
【００５６】
ここで、ジェスチャー記憶手段４０は、具体的にはデータを記憶することができるハードディスクまたはフラッシュメモリなどで構成される。また、ジェスチャー記憶手段４０は、ここでは図３に示すように、音声認識誤り修正装置１内に設けられているが、外部に設けられた構成としても構わない。
【００５７】
手書き文字入力手段５０は、修正者の手書き文字が入力されるものである。手書き文字入力手段５０は、図３に示すように、タッチスクリーンＴｓを介して入力された修正者の手書き文字を検出し、当該手書き文字に関する情報（以下、手書き文字情報という）を手書き文字認識手段６０およびフィードバック出力手段１００に対して出力する。なお、前記した手書き文字情報とは、具体的にはポインティングデバイスＰｄがタッチスクリーンＴｓに接触した際の軌跡に関する情報のことを示している。
【００５８】
手書き文字認識手段６０は、手書き文字を認識するものである。手書き文字認識手段６０は、図３に示すように、手書き文字入力手段５０から入力された手書き文字情報に従って、ポインティングデバイスＰｄによってタッチスクリーンＴｓに入力された手書き文字を認識する。そして、手書き文字認識手段６０は、手書き文字の認識結果（以下、手書き文字認識結果という）を文字列編集手段１１０に対して出力するとともに、手書き文字認識が確定した旨（以下、手書き文字確定情報という）をフレーム出力手段９０およびフィードバック出力手段１００に対して出力する。なお、手書き文字の認識方法は特に限定されず、例えば特開２００７−１８２９０号公報に記載されているように、ストロークのセグメンテーションを行って文字を判別する方法などを用いることができる。この方法を用いることにより、通常よりも精度よく文字列を認識することができる。
【００５９】
音声認識誤り修正装置１は、このように手書き文字入力を利用して挿入または置換する文字列の入力を行うことで、キーボードやコンピュータの操作に熟練していない修正者であっても、紙面で行われる一般的な校正作業と同様に認識誤りの修正作業を容易に行うことができる。
【００６０】
音声入力手段７０は、修正者の音声が入力されるものである。音声入力手段７０は、図３に示すように、マイクＭｃを介して入力された修正者の音声を検出し、当該音声に関する情報（以下、音声情報という）を音声認識手段８０に対して出力する。
【００６１】
音声認識手段８０は、音声を認識するものである。音声認識手段８０は、図３に示すように、音声入力手段７０から入力された音声情報に従って、マイクＭｃに入力された修正者の音声を認識する。そして、音声認識手段８０は、修正者の音声の認識結果（以下、修正者音声認識結果という）を文字列編集手段１１０に対して出力する。なお、音声の認識方法は特に限定されず、音響モデルを用いた統計的手法などを用いることができる。
【００６２】
なお、音声認識手段８０は、例えば修正者の音声を予め学習しておくことで、放送番組の音声を直接認識した場合よりも、高精度な認識結果を得られることが期待されるほか、例えば特許４７０９８８７号公報に記載されているように、音声認識結果から誤り区間を抽出し、再度音声認識するなどの技術を利用することで、精度のよい音声認識結果を得ることができる。
【００６３】
音声認識誤り修正装置１は、このように音声入力を利用して挿入または置換する文字列の入力を行うことで、キーボードやコンピュータの操作に熟練していない修正者であっても、認識誤りの修正作業を容易に行うことができる。
【００６４】
フレーム出力手段９０は、表示端末Ｄｔ上に、手書き文字を入力するための文字列入力用フレームを表示するものである。フレーム出力手段９０には、図３に示すように、ジェスチャー認識手段３０からジェスチャー確定情報が入力される。これを受けて、フレーム出力手段９０は、表示手段１０を介して、表示端末Ｄｔ上に文字列入力用フレームを表示する。
【００６５】
フレーム出力手段９０は、具体的には、ジェスチャー認識手段３０によって文字列挿入または文字列置換の校正記号のジェスチャーが認識された際に、図８および図９に示すように、表示端末Ｄｔ上における予め定められた位置に文字列入力用フレームＦｒを表示する。なお、前記した予め定められた位置とは、表示端末Ｄｔ上における固定された位置ではなく、図８に示すように、修正者が入力した引出線の終端位置のことを示している。
【００６６】
ここで、フレーム出力手段９０には、手書き文字入力によって音声認識文字列Ｓｃに文字列が挿入または置換される場合において、手書き文字認識が確定した時に、図３に示すように手書き文字認識手段６０から手書き文字確定情報が入力される。これを受けて、フレーム出力手段９０は、表示手段１０を介して、表示端末Ｄｔ上に表示されている文字列入力用フレームＦｒを消去する。このように、フレーム出力手段９０は、ジェスチャー認識手段３０によるジェスチャー認識が確定してから、手書き文字認識手段６０による手書き文字認識が確定するまでの間、文字列入力用フレームＦｒを表示する。
【００６７】
このようなフレーム出力手段９０を備えることで、音声認識誤り修正装置１は、表示端末Ｄｔに表示された文字列入力用フレームＦｒ内に手書き文字を書き入れることで、音声認識文字列Ｓｃの誤認識部分に対する文字列の挿入または置換をスムーズに行うことができる。従って、音声認識誤り修正装置１は、表示端末Ｄｔ上に文字列入力用フレームＦｒを提示することで手書き文字を入力しやすくなるため、認識誤りの修正作業を容易に行うことができる。
【００６８】
なお、フレーム出力手段９０は、表示端末Ｄｔによってカラー表示が可能な場合、文字列入力用フレームＦｒを例えば緑色で表示することが好ましい。これにより、フレーム出力手段９０は、文字列入力用フレームＦｒを音声認識文字列Ｓｃと異なる色で修正者に提示することで、修正作業の効率を向上させることができる。
【００６９】
フィードバック出力手段１００は、表示端末ＤｔのタッチスクリーンＴｓに入力されたジェスチャーおよび手書き文字を当該表示端末Ｄｔ上にフィードバックするものである。フィードバック出力手段１００は、修正者によって入力されたジェスチャーおよび手書き文字の軌跡を、ジェスチャーおよび手書き文字の入力と同時に表示端末Ｄｔ上に表示する。以下、フィードバック出力手段１００によって行われるジェスチャーおよび手書き文字のフィードバックの詳細について、順番に説明を行う。
【００７０】
（ジェスチャーのフィードバック）
フィードバック出力手段１００は、図３に示すように、ジェスチャー入力手段２０から入力されるジェスチャー情報を受けて、表示手段１０を介して、表示端末Ｄｔ上に、当該表示端末Ｄｔにポインティングデバイスが接触したことを示すジェスチャーの軌跡を表示する。すなわち、フィードバック出力手段１００は、ポインティングデバイスＰｄによってタッチスクリーンＴｓにジェスチャーが入力された際に、図４〜図７に示すように、表示端末Ｄｔにおけるジェスチャーが入力された位置に、ジェスチャーの軌跡を表示する。
【００７１】
フィードバック出力手段１００は、例えば文字列削除の校正記号のジェスチャーが入力された場合、図４および図５の太い実線で示すように、削除対象となる文字列上の横線と、当該横線の一端側および他端側に形成された一対の縦線とからなる軌跡を表示端末Ｄｔ上の同じ位置に表示する。また、フィードバック出力手段１００は、例えば文字列挿入の校正記号のジェスチャーが入力された場合、図６の太い実線で示すように、文字と文字との間に挿入される山型の線と、当該山の上端から延びる引出線とからなる軌跡を表示端末Ｄｔ上の同じ位置に表示する。また、フィードバック出力手段１００は、例えば文字列置換の校正記号のジェスチャーが入力された場合、図７の太い実線で示すように、置置換対象となる文字列上の直線と、当該直線から延びる引出線とからなる軌跡を表示端末Ｄｔ上の同じ位置に表示する。
【００７２】
ここで、フィードバック出力手段１００には、ジェスチャー認識が確定した時に、図３に示すようにジェスチャー認識手段３０からジェスチャー確定情報が入力される。これを受けて、フィードバック出力手段１００は、表示手段１０を介して、表示端末Ｄｔ上に表示されているジェスチャーの軌跡を消去する。このように、フィードバック出力手段１００は、ジェスチャー入力手段２０にジェスチャーが入力されてから、ジェスチャー認識手段３０によるジェスチャー認識が確定するまでの間、ジェスチャーの軌跡を表示する。
【００７３】
なお、フィードバック出力手段１００には、手書き文字入力によって音声認識文字列Ｓｃに文字列が挿入または置換される場合において、手書き文字認識が確定した時に、図３に示すように手書き文字認識手段６０から手書き文字確定情報が入力される。この場合、フィードバック出力手段１００は、前記したフレーム出力手段９０と同様に、手書き文字確定情報を受けて、表示手段１０を介して、表示端末Ｄｔ上に表示されているジェスチャーの軌跡を消去する。
【００７４】
（手書き文字のフィードバック）
フィードバック出力手段１００は、図３に示すように、手書き文字入力手段５０から入力される手書き文字情報を受けて、表示手段１０を介して、表示端末Ｄｔ上に手書き文字の軌跡を表示する。すなわち、フィードバック出力手段１００は、ポインティングデバイスＰｄによってタッチスクリーンＴｓに手書き文字が入力された際に、図８および図９に示すように、表示端末Ｄｔにおける文字入力用フレームＦｒ内の手書き文字が入力された位置に、手書き文字の軌跡を表示する。
【００７５】
ここで、フィードバック出力手段１００には、手書き文字認識が確定した時に、図３に示すように手書き文字認識手段６０から手書き文字確定情報が入力される。これを受けて、フィードバック出力手段１００は、表示手段１０を介して、表示端末Ｄｔに表示されている手書き文字の軌跡を消去する。このように、フィードバック出力手段１００は、手書き文字入力手段５０に手書き文字が入力されてから、手書き文字認識手段６０による手書き文字認識が確定するまでの間、手書き文字の軌跡を表示する。
【００７６】
このようなフィードバック出力手段１００を備えることで、音声認識誤り修正装置１は、ジェスチャーが入力されている最中にどのようなジェスチャーが入力されているのかを修正者に対して提示することができる。従って、音声認識誤り修正装置１は、入力状態を確認しながらジェスチャーの入力を行うことができるため、認識誤りの修正作業を容易に行うことができる。
【００７７】
なお、フィードバック出力手段１００は、表示端末Ｄｔによってカラー表示が可能な場合、ジェスチャーおよび手書き文字の軌跡を例えば赤色で表示することが好ましい。これにより、フィードバック出力手段１００は、音声認識文字列Ｓｃと異なる色でジェスチャーおよび手書き文字の軌跡を修正者に提示することで、修正作業の効率を向上させることができる。また、ジェスチャーおよび手書き文字の軌跡を、一般的な文章校正作業における赤ペンを連想させる色で表示することで、自らが入力したジェスチャーおよび手書き文字を修正者が容易に確認することができる。
【００７８】
文字列編集手段１１０は、表示端末Ｄｔ上の音声認識文字列Ｓｃを、修正者から入力されるジェスチャーや手書き文字に従って編集するものである。文字列編集手段１１０には、図３に示すように、ジェスチャー認識手段３０から、校正記号のジェスチャーに予め関連付けられた修正指示と、ジェスチャーの入力座標とが入力される。これを受けて、文字列編集手段１１０は、前記した修正指示に従って、表示端末Ｄｔにおけるジェスチャーが入力された位置で特定される音声認識文字列Ｓｃを修正する。文字列編集手段１１０は、ここでは図３に示すように、文字列出力手段１１１と、文字列削除手段１１２と、文字列挿入手段１１３と、文字列置換手段１１４と、を備えている。
【００７９】
文字列出力手段１１１は、音声認識文字列Ｓｃを出力するものである。文字列出力手段１１１には、図３に示すように、外部の図示しない音声認識装置から音声認識結果が入力される。これを受けて、文字列出力手段１１１は、音声認識結果と一致する文字列を文字列記憶手段１２０から取得し、これを音声認識文字列Ｓｃとして表示手段１０に対して出力する。また、文字列出力手段１１１は、表示手段１０に対して出力した音声認識文字列Ｓｃの情報を編集履歴記憶手段１３０に対して出力する。
【００８０】
文字列削除手段１１２は、音声認識文字列Ｓｃの誤認識部分を削除するものである。文字列削除手段１１２は、校正記号のジェスチャーに予め関連付けられた修正指示に従って、表示端末Ｄｔにおけるジェスチャーが入力された位置で特定される音声認識文字列Ｓｃを削除する。
【００８１】
すなわち、文字列削除手段１１２には、図３に示すように、ジェスチャー認識手段３０から、文字列削除の校正記号（図４および図５参照）に予め関連付けられた「文字列削除」の修正指示と、ジェスチャーの入力座標とが入力される。これを受けて、文字列削除手段１１２は、表示端末Ｄｔにおけるジェスチャーの入力座標の位置に表示されている音声認識文字列Ｓｃを削除し、当該削除後の音声認識文字列Ｓｃ（修正文字列）を表示手段１０および修正文字列出力手段１４０に対して出力する。また、文字列削除手段１１２は、修正文字列の情報を編集履歴記憶手段１３０に対して出力する。
【００８２】
ここで、文字列削除手段１１２は、音声認識の単位となる形態素の区切りの位置を予め保持しており、図４に示すように、入力されたジェスチャーの左右の端点に最も近い形態素区間を削除対象の文字列とする。これにより、文字と文字との間が端点となるようにジェスチャーを正確に入力しなくても、形態素単位で文字列を削除することができるため、迅速に修正を行うことができる。
【００８３】
文字列挿入手段１１３は、音声認識文字列Ｓｃに新たな文字列を挿入するものである。文字列挿入手段１１３は、校正記号のジェスチャーに予め関連付けられた修正指示に従って、表示端末Ｄｔにおけるジェスチャーが入力された位置に、手書き文字認識手段６０または音声認識手段８０によって認識された文字列を挿入する。
【００８４】
すなわち、文字列挿入手段１１３には、図３に示すように、ジェスチャー認識手段３０から、文字列挿入の校正記号（図６参照）に予め関連付けられた「文字列挿入」の修正指示と、ジェスチャーの入力座標とが入力される。また、文字列挿入手段１１３には、手書き文字認識手段６０から手書き文字認識結果が入力されるか、あるいは、音声認識手段８０から修正者音声認識結果が入力される。これらを受けて、文字列挿入手段１１３は、表示端末Ｄｔにおけるジェスチャーの入力座標の位置に表示されている音声認識文字列Ｓｃに、手書き文字認識結果または修正者音声認識結果に示された文字列を挿入し、当該挿入後の音声認識文字列Ｓｃ（修正文字列）を表示手段１０および修正文字列出力手段１４０に対して出力する。また、文字列挿入手段１１３は、修正文字列の情報を編集履歴記憶手段１３０に対して出力する。
【００８５】
ここで、文字列挿入手段１１３は、音声認識の単位となる形態素の区切りの位置を予め保持しており、図６に示すように、入力されたジェスチャーの上端に最も近い形態素間に文字列を挿入する。これにより、文字と文字との間が上端となるようにジェスチャーを正確に入力しなくても、形態素間に文字列を挿入することができるため、迅速に修正を行うことができる。
【００８６】
文字列置換手段１１４は、音声認識文字列Ｓｃを別の文字列に置換するものである。文字列置換手段１１４は、校正記号のジェスチャーに予め関連付けられた修正指示に従って、表示端末Ｄｔにおけるジェスチャーが入力された位置で特定される音声認識文字列Ｓｃを、手書き文字認識手段６０または音声認識手段８０によって認識された文字列に置換する。
【００８７】
すなわち、文字列置換手段１１４には、図３に示すように、ジェスチャー認識手段３０から、文字列置換の校正記号（図７参照）に予め関連付けられた「文字列置換」の修正指示と、ジェスチャーの入力座標とが入力される。また、文字列置換手段１１４には、手書き文字認識手段６０から手書き文字認識結果が入力されるか、あるいは、音声認識手段８０から修正者音声認識結果が入力される。これらを受けて、文字列置換手段１１４は、表示端末Ｄｔにおけるジェスチャーの入力座標の位置に表示されている音声認識文字列Ｓｃを、手書き文字認識結果または修正者音声認識結果に示された文字列に置換し、当該置換後の音声認識文字列Ｓｃ（修正文字列）を表示手段１０および修正文字列出力手段１４０に対して出力する。また、文字列置換手段１１４は、修正文字列の情報を編集履歴記憶手段１３０に対して出力する。
【００８８】
ここで、文字列置換手段１１４は、音声認識の単位となる形態素の区切りの位置を予め保持しており、図７に示すように、入力されたジェスチャーの左右の端点に最も近い形態素区間を置換対象の文字列とする。これにより、文字と文字との間が端点となるようにジェスチャーを正確に入力しなくても、形態素単位で文字列を置換することができるため、迅速に修正を行うことができる。
【００８９】
文字列記憶手段１２０は、音声認識結果に対応する文字列を記憶するものである。文字列記憶手段１２０は、図３に示すように、音声認識結果に対応する文字列を記憶し、文字列出力手段１１１の求めに応じて当該文字列を出力する。ここで、文字列記憶手段１２０は、具体的にはデータを記憶することができるハードディスクまたはフラッシュメモリなどで構成される。また、文字列記憶手段１２０は、ここでは図３に示すように、音声認識誤り修正装置１内に設けられているが、外部に設けられた構成としても構わない。
【００９０】
編集履歴記憶手段１３０は、文字列編集手段１１０による編集履歴を記憶するものである。編集履歴記憶手段１３０は、図３に示すように、文字列出力手段１１１、文字列削除手段１１２、文字列挿入手段１１３および文字列置換手段１１４の各手段から、音声認識文字列Ｓｃの編集履歴が入力され、前記各手段の求めに応じて当該編集履歴を出力する。ここで、編集履歴記憶手段１３０は、具体的にはデータを記憶することができるハードディスクまたはフラッシュメモリなどで構成される。また、編集履歴記憶手段１３０は、ここでは図３に示すように、音声認識誤り修正装置１内に設けられているが、外部に設けられた構成としても構わない。
【００９１】
修正文字列出力手段１４０は、修正文字列を出力するものである。修正文字列出力手段１４０は、図３に示すように、文字列削除手段１１２、文字列挿入手段１１３および文字列置換手段１１４から入力された修正文字列を、例えば外部の図示しない字幕送出装置などに対して出力する。
【００９２】
以上のような構成を備える音声認識誤り修正装置１は、音声認識文字列Ｓｃの認識誤りの修正に、紙面で行われる校正作業と同等のインターフェースを提供する。すなわち、音声認識誤り修正装置１は、キーボードを用いることなくスタイラスペンなどのポインティングデバイスＰｄを用いてタッチスクリーンＴｓに入力されたジェスチャーを用いて、認識誤りの修正に必要な削除、挿入、置換などの指示を行う。これにより、キーボードの使用に抵抗のある者も修正作業を行うことができる。また、前記したジェスチャーには、紙面で文章校正を行う際に使用する記号を用いることで、キーボードやコンピュータの操作に熟練していない修正者であっても、従来の熟練が必要な手順を覚えることなしに認識誤りを迅速に修正できるようになる。さらに、音声認識誤り修正装置１は、文字列を挿入および置換する際に、文字列を修正者の音声で入力したり、文字認識を利用して入力することができる。
【００９３】
このように、音声認識誤り修正装置１によれば、タッチスクリーンＴｓを介して入力されたジェスチャーによって音声認識文字列Ｓｃの誤認識の位置および種類を特定して修正を行うため、修正者が音声認識における認識誤りの修正作業に熟練していない場合であっても、修正作業を容易に行うことができる。また、音声認識誤り修正装置１によれば、認識誤りの修正作業に熟練することが難しい編集責任者も、普段行っている紙面上でのペンを用いた校正作業と同様の操作で認識誤りを修正することができるようになり、従来よりも低コストで、音声認識を利用した生放送の字幕制作が可能となる。
【００９４】
［音声認識誤り修正装置の処理手順］
本発明の第１実施形態に係る音声認識誤り修正装置１の処理手順について、図４〜図９を参照（適宜図３を参照）しながら説明する。以下では、表示端末Ｄｔ上に表示される「２９日夜、仙台空港の滑走路の近くの工事現場で、」という音声認識文字列Ｓｃに対して、文字列削除、文字列挿入および文字列置換を行う場合の処理手順について順番に説明する。また、以下では、手書き文字入力によって文字列挿入および文字列置換を行う例について説明する。
【００９５】
（文字列削除）
例えば音声認識文字列Ｓｃにおける「事務」という文字列を削除する場合、修正者は、図４に示すように、ポインティングデバイスＰｄを用いて、破線矢印１，２，３の方向および順番でジェスチャーを入力する。これにより、ジェスチャー入力手段２０からフィードバック出力手段１００およびジェスチャー認識手段３０に対してジェスチャー情報が入力される。
【００９６】
フィードバック出力手段１００は、ジェスチャー情報が入力されると、図４に太い実線で示すように、削除対象となる「事務」の文字列上に文字列削除のジェスチャーの軌跡を表示する。また、ジェスチャー認識手段３０は、ジェスチャー情報が入力されると、ポインティングデバイスＰｄによって入力されたジェスチャーがジェスチャー記憶手段４０に予め記憶されている文字列削除の校正記号のジェスチャーと一致するか否かを判定する。そして、ジェスチャー認識手段３０は、両者が一致する場合は、文字列削除の修正指示およびジェスチャーの入力座標を文字列削除手段１１２に対して出力するとともに、ジェスチャー確定情報をフィードバック出力手段１００に対して出力する。
【００９７】
文字列削除手段１１２は、文字列削除の修正指示およびジェスチャーの入力座標が入力されると、音声認識文字列Ｓｃにおける「事務」という文字列を削除し、修正文字列を表示手段１０および修正文字列出力手段１４０に対して出力する。また、フィードバック出力手段１００は、ジェスチャー確定情報が入力されると、表示端末Ｄｔ上のジェスチャーの軌跡を消去する。なお、図５に示すように、音声認識文字列Ｓｃにおける２行にわたる「事務所」という文字列を削除する場合は、ポインティングデバイスＰｄを用いて、破線矢印１，２，３，４の方向および順番でジェスチャーを入力すればよい。これにより、前記した図４の処理と同じ手順で「事務所」という文字列が削除される。
【００９８】
（文字列挿入）
例えば音声認識文字列Ｓｃにおける「空港」と「の」の間に「滑走路」という文字列を挿入する場合、修正者は、図６に示すように、ポインティングデバイスＰｄを用いて、破線矢印１，２，３の方向および順番でジェスチャーを入力する。これにより、ジェスチャー入力手段２０からフィードバック出力手段１００およびジェスチャー認識手段３０に対してジェスチャー情報が入力される。
【００９９】
フィードバック出力手段１００は、ジェスチャー情報が入力されると、図６に太い実線で示すように、挿入対象となる「空港」と「の」の間に文字列挿入のジェスチャーの軌跡を表示する。また、ジェスチャー認識手段３０は、ジェスチャー情報が入力されると、ポインティングデバイスＰｄによって入力されたジェスチャーがジェスチャー記憶手段４０に予め記憶されている文字列挿入の校正記号のジェスチャーと一致するか否かを判定する。そして、ジェスチャー認識手段３０は、両者が一致する場合は、文字列挿入の修正指示およびジェスチャーの入力座標を文字列挿入手段１１３に対して出力するとともに、ジェスチャー確定情報をフレーム出力手段９０およびフィードバック出力手段１００に対して出力する。
【０１００】
フレーム出力手段９０は、ジェスチャー確定情報が入力されると、図８に示すように、引出線の終端位置に文字列入力用フレームＦｒを表示する。次に、修正者によって、「滑走路」という手書き文字が入力されると、手書き文字入力手段５０からフィードバック出力手段１００および手書き文字認識手段６０に対して手書き文字情報が入力される。
【０１０１】
フィードバック出力手段１００は、手書き文字情報が入力されると、図８に実線で示すように、文字入力用フレームＦｒ内に手書き文字の軌跡を表示する。また、手書き文字認識手段６０は、手書き文字情報が入力されると、手書き文字認識結果を文字列挿入手段１１３に出力するとともに、手書き文字確定情報をフレーム出力手段９０およびフィードバック出力手段１００に出力する。
【０１０２】
文字列挿入手段１１３は、手書き文字認識結果が入力されると、音声認識文字列Ｓｃにおける「空港」と「の」の間に「滑走路」という文字列を挿入し、修正文字列を表示手段１０および修正文字列出力手段１４０に対して出力する。また、フレーム出力手段９０およびフィードバック出力手段１００は、手書き文字確定情報が入力されると、表示端末Ｄｔ上の文字列入力用フレームＦｒおよびジェスチャーの軌跡をそれぞれ消去する。
【０１０３】
（文字列置換）
例えば音声認識文字列Ｓｃにおける「活断層」という文字列を、「滑走路」という文字列に置換する場合、修正者は、図７に示すように、ポインティングデバイスＰｄを用いて、破線矢印１，２の方向および順番でジェスチャーを入力する。これにより、ジェスチャー入力手段２０からフィードバック出力手段１００およびジェスチャー認識手段３０に対してジェスチャー情報が入力される。
【０１０４】
フィードバック出力手段１００は、ジェスチャー情報が入力されると、図７に太い実線で示すように、置換対象となる「活断層」の文字列上に文字列置換のジェスチャーの軌跡を表示する。また、ジェスチャー認識手段３０は、ジェスチャー情報が入力されると、ポインティングデバイスＰｄによって入力されたジェスチャーがジェスチャー記憶手段４０に予め記憶されている文字列置換の校正記号のジェスチャーと一致するか否かを判定する。そして、ジェスチャー認識手段３０は、両者が一致する場合は、文字列置換の修正指示およびジェスチャーの入力座標を文字列置換手段１１４に対して出力するとともに、ジェスチャー確定情報をフレーム出力手段９０およびフィードバック出力手段１００に対して出力する。
【０１０５】
フレーム出力手段９０は、ジェスチャー確定情報が入力されると、図９に示すように、引出線の終端位置に文字列入力用フレームＦｒを表示する。次に、修正者によって、「滑走路」という手書き文字が入力されると、手書き文字入力手段５０からフィードバック出力手段１００および手書き文字認識手段６０に対して手書き文字情報が入力される。
【０１０６】
フィードバック出力手段１００は、手書き文字情報が入力されると、図９に実線で示すように、文字入力用フレームＦｒ内に手書き文字の軌跡を表示する。また、手書き文字認識手段６０は、手書き文字情報が入力されると、手書き文字認識結果を文字列置換手段１１４に出力するとともに、手書き文字確定情報をフレーム出力手段９０およびフィードバック出力手段１００に出力する。
【０１０７】
文字列置換手段１１４は、手書き文字認識結果が入力されると、音声認識文字列Ｓｃにおける「活断層」という文字列を、「滑走路」という文字列に置換し、修正文字列を表示手段１０および修正文字列出力手段１４０に対して出力する。また、フレーム出力手段９０およびフィードバック出力手段１００は、手書き文字確定情報が入力されると、表示端末Ｄｔ上の文字列入力用フレームＦｒおよびジェスチャーの軌跡をそれぞれ消去する。
【０１０８】
＜第２実施形態＞
本発明の第２実施形態に係る音声認識誤り修正装置１Ａについて、図１０および図１１を参照しながら説明する。音声認識誤り修正装置１Ａは、修正者が表示端末ＤｔのタッチスクリーンＴｓに対して行った入力に応じて認識誤りを修正する点については前記した音声認識誤り修正装置１と同様である。一方、音声認識誤り修正装置１Ａは、音声認識文字列Ｓｃを別の文字列に置換する際に、手書き文字入力や音声入力などを用いずに、図１１に示すように、表示端末Ｄｔ上のパレットＰａに複数の文字列の候補（以下、置換文字列候補）を表示し、修正者にいずれかを選択させる点が前記した音声認識誤り修正装置１と異なる。
【０１０９】
音声認識誤り修正装置１Ａは、図１０に示すように、文字列編集手段１１０の代わりに文字列編集手段１１０Ａを備え、文字列特定手段１５０、置換文字列候補出力手段１６０、置換文字列候補記憶手段１７０および置換文字列決定手段１８０を新たに備えること以外は、前記した音声認識誤り修正装置１と同様の構成を備えている。従って、以下では音声認識誤り修正装置１と重複する構成については同じ符号を付して説明を省略する。
【０１１０】
文字列特定手段１５０は、置換対象となる文字列を特定するものである。文字列特定手段１５０には、図１０に示すように、ジェスチャー認識手段３０から、文字列置換の校正記号（図７参照）に予め関連付けられた「文字列置換」の修正指示と、ジェスチャーの入力座標とが入力される。これを受けて、文字列特定手段１５０は、編集履歴記憶手段１３０に記憶された音声認識文字列Ｓｃの情報を読み出し、ジェスチャーによって文字列置換が指示された文字列を特定する。そして、文字列特定手段１５０は、特定した文字列に関する情報（以下、特定文字列情報という）を置換文字列候補出力手段１６０に対して出力する。
【０１１１】
置換文字列候補出力手段１６０は、表示端末Ｄｔ上に、ジェスチャーによって指示された文字列に置換される置換文字列候補を表示するものである。置換文字列候補出力手段１６０には、図１０に示すように、文字列特定手段１５０から特定文字列情報が入力される。これを受けて、置換文字列候補出力手段１６０は、置換文字列候補記憶手段１７０に記憶された文字列の中から特定文字列情報に含まれる文字列に類似するものを検索する。そして、置換文字列候補出力手段１６０は、検索した置換文字列候補を文字列出力手段１１１Ａおよび置換文字列決定手段１８０に対して出力する。
【０１１２】
置換文字列候補出力手段１６０は、具体的には、ジェスチャー認識手段３０によって文字列置換の校正記号のジェスチャーが認識された際に、図１１に示すように、表示端末Ｄｔにおける予め定められた位置に設けられたパレットＰａ上に、表示端末Ｄｔにおけるジェスチャーが入力された位置で特定される音声認識文字列Ｓｃに対応する、予め定められた複数の置換文字列候補を表示する。なお、前記したパレットＰａは、置換文字列候補を表示するための領域であり、ここでは表示端末Ｄｔ上に常時表示されている。また、前記した置換文字列候補としては、例えばジェスチャーが入力された位置で特定される音声認識文字列Ｓｃの同音異義語や、音声認識文字列Ｓｃの生成に実際に用いられた原稿の該当部分などを用いることができる。
【０１１３】
置換文字列候補記憶手段１７０は、置換文字列候補を記憶するものである。置換文字列候補記憶手段１７０は、予め複数の置換文字列候補が入力され、置換文字列候補出力手段１６０の求めに応じて当該置換文字列候補を出力する。ここで、置換文字列候補記憶手段１７０は、具体的にはデータを記憶することができるハードディスクまたはフラッシュメモリなどで構成される。また、置換文字列候補記憶手段１７０は、ここでは図１０に示すように、音声認識誤り修正装置１Ａ内に設けられているが、外部に設けられた構成としても構わない。
【０１１４】
置換文字列決定手段１８０は、置換文字列を決定するものである。置換文字列決定手段１８０には、図１０に示すように、置換文字列候補出力手段１６０から置換文字列候補が入力され、ジェスチャー入力手段２０から修正者によって入力されたジェスチャーの入力座標が入力される。これを受けて、置換文字列決定手段１８０は、置換文字列候補の中から音声認識文字列Ｓｃと置換する置換文字列を決定する。そして、置換文字列決定手段１８０は、決定した置換文字列を文字列置換手段１１４Ａに対して出力する。
【０１１５】
置換文字列決定手段１８０は、具体的には図１１に示すように、修正者が行ったポインティングデバイスＰｄによる選択に従って、置換文字列候補出力手段１６０によってパレットＰａに表示された複数の置換文字列候補の中から１つの置換文字列を決定する。
【０１１６】
文字列編集手段１１０Ａは、図１０に示すように、文字列出力手段１１１Ａと、文字列削除手段１１２と、文字列挿入手段１１３と、文字列置換手段１１４Ａと、を備えている。文字列出力手段１１１Ａは、図１０に示すように、音声認識文字列Ｓｃに加えて、置換文字列候補出力手段１６０から入力された置換文字列候補を表示手段１０に対して出力する。これにより、図１１に示すように、表示端末Ｄｔ上のパレットＰａに置換文字列候補が表示される。
【０１１７】
文字列置換手段１１４Ａは、ジェスチャー認識手段３０から、文字列置換の校正記号（図７参照）に予め関連付けられた「文字列置換」の修正指示と、ジェスチャーの入力座標とが入力される。また、文字列置換手段１１４Ａには、置換文字列決定手段１８０から置換文字列が入力される。これらを受けて、文字列置換手段１１４Ａは、表示端末Ｄｔにおけるジェスチャーの入力座標の位置に表示されている音声認識文字列Ｓｃを、置換文字列に置換し、当該置換後の音声認識文字列Ｓｃ（修正文字列）を表示手段１０および修正文字列出力手段１４０に対して出力する。また、文字列置換手段１１４Ａは、修正文字列の情報を編集履歴記憶手段１３０に対して出力する。
【０１１８】
以上のような構成を備える音声認識誤り修正装置１Ａは、置換文字列候補出力手段１６０によって、音声認識文字列Ｓｃの誤認識部分と置換可能な置換文字列候補を提示し、置換文字列決定手段１８０によって、修正者のポインティングデバイスＰｄによる選択に従って、置換文字列を決定することができる。
【０１１９】
従って、音声認識誤り修正装置１Ａによれば、音声認識文字列Ｓｃの誤認識部分と置換可能な置換文字列候補を修正者に提示して選択できるように構成されているため、キーボードやコンピュータの操作に熟練していない修正者であっても、認識誤りの修正作業を容易に行うことができる。また、音声認識誤り修正装置１Ａによれば、例えば言いよどみ、同音異義語などの認識誤りの種類に応じて、文字列の適切な入力手段を選択することができるため、認識誤りの修正作業を効率よく行うことができる。
【０１２０】
［音声認識誤り修正装置の処理手順］
本発明の第２実施形態に係る音声認識誤り修正装置１Ａの処理手順について、図１１を参照（適宜図１０を参照）しながら説明する。以下では、表示端末Ｄｔ上に表示される「２９日夜、仙台空港の滑走路の近くの工事現場で、」という音声認識文字列Ｓｃに対して、文字列置換を行う場合の処理手順について説明する。また、以下では、文字列置換の校正記号として、置換対象となる文字列上の直線が用いられた例について説明する。なお、文字列削除および文字列挿入を行う場合の処理手順は前記した音声認識誤り修正装置１と同様であるため、ここでは説明を省略する。
【０１２１】
（文字列置換）
例えば音声認識文字列Ｓｃにおける「活断層」という文字列を「滑走路」という文字列に置換する場合、修正者は、図１１に示すように、ポインティングデバイスＰｄを用いて、破線矢印１に示すジェスチャーを入力する。これにより、ジェスチャー入力手段２０からフィードバック出力手段１００およびジェスチャー認識手段３０に対してジェスチャー情報が入力される。
【０１２２】
フィードバック出力手段１００は、ジェスチャー情報が入力されると、図１１に太い実線で示すように、置換対象となる「活断層」の文字列上に直線の軌跡を表示する。また、ジェスチャー認識手段３０は、ジェスチャー情報が入力されると、ポインティングデバイスＰｄによって入力されたジェスチャーがジェスチャー記憶手段４０に予め記憶されている文字列置換の校正記号のジェスチャーと一致するか否かを判定する。そして、ジェスチャー認識手段３０は、両者が一致する場合は、文字列置換の修正指示およびジェスチャーの入力座標を文字列置換手段１１４Ａおよび文字列特定手段１５０に対して出力する。
【０１２３】
文字列特定手段１５０は、文字列置換の修正指示およびジェスチャーの入力座標が入力されると、編集履歴記憶手段１３０に記憶された音声認識文字列Ｓｃの情報を読み出し、ジェスチャーによって指示された文字列を特定し、特定文字列情報を置換文字列候補出力手段１６０に対して出力する。置換文字列候補出力手段１６０は、特定文字列情報が入力されると、図１１に示すように、表示端末Ｄｔ上のパレットＰａに複数の置換文字列候補を表示する。
【０１２４】
次に、修正者によって、図１１に示すように、破線矢印２のジェスチャーが入力され、パレットＰａ上の「滑走路」という文字列が選択されると、ジェスチャー入力手段２０から置換文字列決定手段１８０に対してジェスチャーの入力座標が入力される。また、同時にジェスチャー入力手段２０からフィードバック出力手段１００に対してジェスチャー情報が入力され、当該フィードバック出力手段１００によって「活断層」の文字列上に直線から延びる引出線の軌跡が表示端末Ｄｔ上に表示される。
【０１２５】
置換文字列決定手段１８０は、ジェスチャーの入力座標が入力されると、置換文字列候補の中から「滑走路」という置換文字列を決定し、文字列置換手段１１４Ａに対して出力する。これにより、文字列置換手段１１４Ａは、音声認識文字列Ｓｃにおける「活断層」という文字列を、「滑走路」という文字列に置換し、修正文字列を表示手段１０および修正文字列出力手段１４０に対して出力する。
【０１２６】
＜変形例＞
本発明の第１実施形態に係る音声認識誤り修正装置１および第２実施形態に係る音声認識誤り修正装置１Ａの変形例について、図１２〜図１５（適宜図３および図１０参照）を参照しながら説明する。ここで、音声認識誤り修正装置１，１Ａの変形例は、図１２に示すように、文字列編集手段１１０，１１０Ａの代わりに文字列編集手段１１０Ｂを備えること以外は、前記した音声認識誤り修正装置１，１Ａと同様の構成を備えている。従って、以下では音声認識誤り修正装置１，１Ａと重複する構成については同じ符号を付して説明を省略する。また、図１２では、文字列編集手段１１０Ｂ以外の構成については図示を省略している。
【０１２７】
なお、図１２では、音声認識誤り修正装置１，１Ａの変形例として、操作取消手段１１５、再操作手段１１６および操作確定手段１１７を全て備える構成を一例として図示しているが、これらの手段をもれなく全て備えることは必須ではなく、これらの手段のうちいずれかを備える構成であっても構わない。
【０１２８】
文字列編集手段１１０Ｂは、図１２に示すように、文字列出力手段１１１（１１１Ａ）と、文字列削除手段１１２と、文字列挿入手段１１３と、文字列置換手段１１４（１１４Ａ）と、操作取消手段１１５と、再操作手段１１６と、操作確定手段１１７と、を備えている。
【０１２９】
操作取消手段１１５は、表示端末Ｄｔ上に表示された音声認識文字列Ｓｃの修正を行う場合において、直前の操作を取り消すものである。操作取消手段１１５は、例えば図１３に示すように、ジェスチャー認識手段３０によって文字列置換の校正記号のジェスチャーが認識され、手書き文字認識手段６０によって「滑走路」という手書き文字が入力された後に、ポインティングデバイスＰｄによって破線矢印１，２の方向および順番でジェスチャーが入力された場合、直前の操作を取り消す。
【０１３０】
すなわち、操作取消手段１１５には、ジェスチャー認識手段３０から、図１３の破線矢印１，２に示す操作取消の記号に予め関連付けられた「操作取消」の指示が入力される。これを受けて、操作取消手段１１５は、文字列置換手段１１４（１１４Ａ）に対して文字列置換の修正を指示する。これにより、手書き文字認識手段６０から文字列置換手段１１４（１１４Ａ）に対して入力された手書き文字認識結果が修正され、例えば「滑走路」の手書き文字入力のうち、最後の文字である「路」の入力指示が取り消される。
【０１３１】
なお、前記したような操作取消の処理を行う場合、フィードバック出力手段１００は、ポインティングデバイスＰｄによって破線矢印１，２の方向および順番でジェスチャーが入力された際に、例えば図１３に示すように、丸印のジェスチャーの軌跡を表示端末Ｄｔ上に表示することが好ましい。以上のような操作取消手段１１５を備えることで、ポインティングデバイスＰｄによって行われた操作を一部取り消すことができるため、認識誤りの修正作業をより柔軟に行うことができる。
【０１３２】
再操作手段１１６は、表示端末Ｄｔ上に表示された音声認識文字列Ｓｃの修正を行う場合において、再操作可能な状態にするものである。再操作手段１１６は、例えば図１４に示すように、ジェスチャー認識手段３０によって文字列置換の校正記号のジェスチャーが認識され、手書き文字認識手段６０によって「滑走路」という手書き文字が入力された後に、ポインティングデバイスＰｄによって破線矢印１，２の方向および順番でジェスチャーが入力された場合、ジェスチャー入力および手書き文字入力を全て取り消す。
【０１３３】
すなわち、再操作手段１１６には、ジェスチャー認識手段３０から、図１４の破線矢印１，２に示す再操作の記号に予め関連付けられた「再操作」の指示が入力される。これを受けて、再操作手段１１６は、文字列置換手段１１４（１１４Ａ）に対して文字列置換の取消を指示する。これにより、手書き文字認識手段６０から文字列置換手段１１４（１１４Ａ）に対して入力された手書き文字認識結果が削除され、「滑走路」の入力が取り消される。
【０１３４】
なお、前記したような再操作の処理を行う場合、フィードバック出力手段１００は、ポインティングデバイスＰｄによって破線矢印１，２の方向および順番でジェスチャーが入力された際に、例えば図１４に示すように、丸印のジェスチャーの軌跡を表示端末Ｄｔ上に表示することが好ましい。以上のような再操作手段１１６を備えることで、ポインティングデバイスＰｄによって行われた操作をいったん全て取り消すことができるため、認識誤りの修正作業をより柔軟に行うことができる。
【０１３５】
操作確定手段１１７は、表示端末Ｄｔ上に表示された音声認識文字列Ｓｃを早期に確定するものである。操作確定手段１１７は、例えば図１５に示すように、ジェスチャー認識手段３０によって操作確定の校正記号のジェスチャーが認識された場合、ジェスチャーが入力された位置までの音声認識文字列Ｓｃを修正文字列出力手段１４０に対して出力する。
【０１３６】
すなわち、操作確定手段１１７には、ジェスチャー認識手段３０から、図１５の破線矢印１，２に示す操作確定の記号に予め関連付けられた「操作確定」の指示と、ジェスチャーの入力座標と、が入力される。これを受けて、操作確定手段１１７は、ジェスチャーが入力された直前までの音声認識文字列Ｓｃを修正文字列出力手段１４０に対して出力する。
【０１３７】
なお、前記したような操作確定の処理を行う場合、フィードバック出力手段１００は、ポインティングデバイスＰｄによって破線矢印１，２の方向および順番でジェスチャーが入力された場合、例えば図１５に示すように、チェック印のジェスチャーの軌跡を表示端末Ｄｔ上に表示することが好ましい。なお、図１５では、斜線で示された文字列が、操作確定手段１１７によって確定された文字列を示している。
【０１３８】
ここで、リアルタイムに字幕制作を行う場合、認識誤りの修正と同時に修正および確認済の文字列をいち早く確定し、字幕として送出可能な状態にできることが望ましい。従来の方式では、キーボードのリターンを押して、画面からスクロールアウトした文字列が確定文字列となっており、修正および確認済の文字列を行単位で確定していた。一方、前記したような操作確定手段１１７を備えることで、音声認識文字列Ｓｃの確認済みの部分を指定し、字幕として放送可能な文字列を指示する確認動作についても紙面で行われる校正作業と同等のインターフェースで提供することができる。これにより、従来よりも迅速に音声認識文字列Ｓｃの確認済みの部分を確定することが可能となり、認識誤りの修正作業とシームレスに字幕送出を行うことができる。
【０１３９】
［音声認識誤り修正プログラム］
前記した音声認識誤り修正装置１，１Ａおよびこれらの変形例は、一般的なコンピュータを、前記した各手段および各部として機能させるプログラムにより動作させることで実現することができる。このプログラムは、通信回線を介して配布することも可能であるし、ＣＤ−ＲＯＭなどの記録媒体に書き込んで配布することも可能である。
【０１４０】
以上、本発明に係る音声認識誤り装置およびそのプログラムについて、発明を実施するための形態により具体的に説明したが、本発明の趣旨はこれらの記載に限定されるものではなく、特許請求の範囲の記載に基づいて広く解釈されなければならない。また、これらの記載に基づいて種々変更、改変などしたものも本発明の趣旨に含まれることはいうまでもない。
【０１４１】
例えば、前記した音声認識誤り修正装置１，１Ａおよびこれらの変形例は、図３および図１２に示すように、文字列削除手段１１２、文字列挿入手段１１３および文字列置換手段１１４，１１４Ａをそれぞれ備えていたが、これらを全て備えることは必須ではない。例えば、音声認識誤り修正装置１，１Ａおよびこれらの変形例は、文字列の削除のみを行う場合は文字列削除手段１１２のみを備えていればよく、文字列の挿入のみを行う場合は文字列挿入手段１１３のみを備えていればよく、文字列の置換のみを行う場合は文字列置換手段１１４，１１４Ａのみを備えていればよい。
【０１４２】
また、前記した音声認識誤り修正装置１，１Ａおよびこれらの変形例は、図３、図１０および図１２に示すように、手書き文字入力手段５０、手書き文字認識手段６０、音声入力手段７０、音声認識手段８０を備えていたが、これらを全て備えることは必須ではない。例えば、音声認識誤り修正装置１，１Ａおよびこれらの変形例は、文字列の削除のみを行う場合は手書き文字入力手段５０、手書き文字認識手段６０、音声入力手段７０、音声認識手段８０を備えていなくても構わない。また、音声認識誤り修正装置１，１Ａおよびこれらの変形例は、誤認識の修正に文字認識のみを利用する場合は音声入力手段７０および音声認識手段８０を備えていなくてもよく、音声認識のみを利用する場合は手書き文字入力手段５０および手書き文字認識手段６０を備えていなくてもよい。
【０１４３】
また、前記した音声認識誤り修正装置１，１Ａおよびこれらの変形例は、音声認識文字列Ｓｃにおける文字列挿入および文字列置換の処理において、手書き文字入力、音声入力、パレットＰａを用いた置換文字列候補の選択のいずれかを選択できるような構成としても構わない。この場合、音声認識誤り修正装置１，１Ａおよびこれらの変形例は、図６および図７に示す引出線のジェスチャーの後に、手書き文字入力と音声入力を選択するための新たなジェスチャーを追加するか、あるいは引出線の方向もしくは終端位置によって手書き文字入力と音声入力を選択できるようにすればよい。例えば引出線の方向によって選択する場合は、引出線を上に引き出したときは手書き文字入力とし、引出線を下に引き出したときは音声入力とすれば、直感的に理解しやすくなる。
【０１４４】
なお、引出線の方向および終端位置によって選択する場合は、ジェスチャー認識手段３０によって、文字列挿入および文字列置換の校正記号に含まれる引出線のジェスチャーが引き出された方向、あるいは引出線の終端位置に従って、手書き文字認識手段６０によって認識された文字列、音声認識手段８０によって認識された文字列のいずれを挿入するか、および、手書き文字認識手段６０によって認識された文字列、音声認識手段８０によって認識された文字列、置換文字列決定手段１８０によって決定された置換文字列のいずれを置換するか、をそれぞれ選択することになる。
【０１４５】
また、前記した音声認識誤り修正装置１，１Ａおよびこれらの変形例は、ジェスチャーおよび手書き文字の入力にポインティングデバイスＰｄを用いることを前提としているが、当該ポインティングデバイスＰｄを用いずに修正者の手指でジェスチャーおよび手書き文字の入力を行っても構わない。
【符号の説明】
【０１４６】
１，１Ａ  音声認識誤り修正装置
１０  表示手段
２０  ジェスチャー入力手段
３０  ジェスチャー認識手段
４０  ジェスチャー記憶手段
５０  手書き文字入力手段
６０  手書き文字認識手段
７０  音声入力手段
８０  音声認識手段
９０  フレーム出力手段
１００  フィードバック出力手段
１１０，１１０Ａ，１１０Ｂ  文字列編集手段
１１１，１１１Ａ  文字列出力手段
１１２  文字列削除手段
１１３  文字列挿入手段
１１４，１１４Ａ  文字列置換手段
１１５  操作取消手段
１１６  再操作手段
１１７  操作確定手段
１２０  文字列記憶手段
１３０  編集履歴記憶手段
１４０  修正文字列出力手段
１５０  文字列特定手段
１６０  置換文字列候補出力手段
１７０  置換文字列候補記憶手段
１８０  置換文字列決定手段
Ｄｔ  表示端末
Ｆｒ  文字列入力用フレーム
Ｍｃ  マイク
Ｐｄ  ポインティングデバイス
Ｓｃ  音声認識文字列
Ｔｓ  タッチスクリーン
【図１】
2014149612.tif 000003
【図２】
2014149612.tif 000004
【図３】
2014149612.tif 000005
【図４】
2014149612.tif 000006
【図５】
2014149612.tif 000007
【図６】
2014149612.tif 000008
【図７】
2014149612.tif 000009
【図８】
2014149612.tif 000010
【図９】
2014149612.tif 000011
【図１０】
2014149612.tif 000012
【図１１】
2014149612.tif 000013
【図１２】
2014149612.tif 000014
【図１３】
2014149612.tif 000015
【図１４】
2014149612.tif 000016
【図１５】
2014149612.tif 000017